(57)【要約】  本発明は、リール（１２）が連結されている拡大ハンドグリップ（１１）を有する管状釣り竿（１０）を保持するために使用される、歩行しながら魚釣りをするための釣り竿ホルダ（１）に関し、この釣り竿ホルダは、ベルト（２）が中を通過させられることが可能なループ（１）を備え、このループは、釣り竿の横断面よりも大きくかつハンドグリップの横断面に概ね等しい横断面を有する管状要素（３）に固定されており、その外側表面内に貫通スロット（４）が作られており、この貫通スロット（４）は適切に形成されておりかつ管状要素の全長にわたって延び、および、このスロットの幅が、釣り竿の直径よりも大きくかつハンドグリップの直径よりも小さい。
2013524831.tif 000002
【特許請求の範囲】
【請求項１】
リール（１２）が連結されている拡大ハンドグリップ（１１）を有する管状釣り竿（１０）を保持するために使用されるタイプの、歩行しながら魚釣りをするための釣り竿ホルダ（１）において、この釣り竿ホルダは、ユーザの体の周りに固定されるベルト（２）に結合されるように設計されているループ（１）と、前記ループの母線の１つの上で前記ループに固定されており、および、前記釣り竿の横断面よりも大きくかつ前記ハンドグリップの横断面に概ね等しい横断面を有する管状要素（３）とを備え、前記管状要素の外側表面内に作られておりかつ前記管状要素の全長に沿って延びる貫通スロット（４）が存在し、前記スロットの幅が前記釣り竿の直径よりも大きくかつ前記ハンドグリップの直径よりも小さいことを特徴とし、および、前記スロット（４）は前記管状要素の外周の円弧の全体にわたって延び、かつ、前記円弧の幅が６０°から１００°であり、および、前記管状要素（３）の母線に沿って延びる、それぞれに左（５ａ）と右（６ａ）の２つの直線端縁によって形成されている下部ストレッチ（４ａ）と、前記管状要素の母線に沿って延びる、それぞれに左（５ｂ）と右（６ｂ）の２つの直線端縁によって形成されておりかつ前記直線端縁（５ａ，６ａ）に対して角度的にオフセットしている上部ストレッチ（４ｂ）と、前記上部直線ストレッチ（４ａ）と前記下部直線ストレッチ（４ｂ）の左端縁（５ａ、６ａ）と右端縁（５ｂ、６ｂ）とを各々がそれぞれに連結する、それぞれに左（５ｃ）と右（６ｃ）の２つの湾曲端縁によって形成されている中間直線連結ストレッチ（４ｃ）とを備えることを特徴とする釣り竿ホルダ。
【請求項２】
前記下部ストレッチ（４ａ）は、前記管状要素がその上で前記ループに固定されている前記母線に対して約９０°の角度に配置されている前記管状要素（３）の前記母線の１つの上に配置されている前記左端縁（５ａ）を有し、および、前記上部ストレッチ（４ｂ）は、前記管状要素（３）がその上で前記ループに固定されている前記母線に対して約１８０°の角度に配置されている母線に対して概ね対称的に作られている開口部を備えることを特徴とする請求項１に記載の釣り竿ホルダ。
【請求項３】
前記上部ストレッチ（４ｂ）の前記右端縁（６ｂ）の上部末端（７ｂ）が、前記スロット（４）内に全体的に収容されている直線の理想的部分を伴って、前記下部ストレッチ（４ａ）の前記左端縁（５ａ）の下部末端（７ａ）に連結されることが可能であることを特徴とする請求項２に記載の釣り竿ホルダ。
【請求項４】
前記管状要素（３）の軸方向によって測定された前記スロット（４）の前記下部ストレッチ（４ａ）の長さが、前記管状要素（３）の軸方向長さの少なくとも半分であることを特徴とする請求項１に記載の釣り竿ホルダ。
【請求項５】
凹み（８）が前記管状要素（３）の下部区域の横壁の中に作られており、前記凹みは、前記管状要素の前記下部末端に向かって開いており、および、前記管状要素（３）がその上で前記ループに固定されている母線に対して約２７０°の角度に配置されていることを特徴とする請求項１に記載の釣り竿ホルダ。
【請求項６】
穴（９）が前記管状要素（３）の上部区域の横壁の中に作られており、前記穴は、前記管状要素（３）がその上で前記ループに固定されている母線の上に概ね配置されていることを特徴とする請求項１に記載の釣り竿ホルダ。
【請求項７】
前記ベルト（２）に連結可能であるスプリングクリップ（９ａ）を備え、および、前記スプリングクリップ（９ａ）のフックが、前記ベルトが前記ループ（１）の中に挿入されていない時に前記釣り竿ホルダを前記ベルトに固定するために前記穴（９）の中に挿入されるように設計されていることを特徴とする請求項６に記載の釣り竿ホルダ。
【請求項８】
前記ループ（１）と前記管状要素（３）は硬質材料で作られており、前記管状要素（３）の内壁と、前記管状要素（３）に連結されていない前記ループ（１）の外壁とが、滑り防止材料で覆われていることを特徴とする請求項１に記載の釣り竿ホルダ。
【発明の詳細な説明】
【技術分野】
【０００１】
本発明は、歩行しながら魚釣りをするための釣り竿ホルダに関する。
【背景技術】
【０００２】
スポーツフィッシングでは、および、特に歩行しながらの魚釣りにおいては、すなわち、川の中に位置することが多い異なる魚釣り箇所に到達するために歩行しながら魚釣りする時には、例えば釣り針に餌を付けること、または、末端を変更すること、適切な容器の中に釣った魚入れるためにその魚を保持することといった、両手を必要とする作業を行うために、人間が自分の両手を自由にしておく必要がある時に、釣り竿を支持するためのシステムを発見するという問題が常に存在する。この問題は、「フライフィッシング方法」で魚釣りをする人々にとっては特に重要である。餌（フライ）が末端に取り付けられている釣り糸における繰り出しと巻き上げを行うリールが取り付けられている拡大ハンドグリップを有する細いロッドを使用するこのタイプの魚釣りは、一般的に、釣り人が自分の足を水中に沈めながら行われる。こうした状態では、釣り人は水によって取り囲まれており、したがって、様々な作業を行うために釣り人が自分の両手を自由にしておくことが特に困難である。
【発明の概要】
【発明が解決しようとする課題】
【０００３】
本発明の目的は、両手を要する作業を行うために釣り人によって必要とされる期間中は釣り竿が中に収容されることを可能にする釣り竿ホルダを提供することである。
【課題を解決するための手段】
【０００４】
本発明の１つの利点が、製造が容易でありかつ使用が簡単である釣り竿ホルダを提供することである。
【０００５】
これらの目的と利点と他の目的と利点とが、添付されている特許請求項に記述されている本発明によってすべて実現される。
【０００６】
本発明のさらに別の特徴と利点とが、添付図面に例示されている釣り竿ホルダの非限定的な実施形態を示す以下の詳細な説明において、より明確である。
【図面の簡単な説明】
【０００７】
【図１】図１は、ループの中を通して挿入されているベルトと側部のスプリングクリップとを有する、本発明による釣り竿ホルダの斜視図である。
【図２】図２は、ループが管状要素の下方にかつ水平平面内に位置している、本発明による釣り竿ホルダの図である。
【図３】図３は、ループが管状要素の左側にかつ垂直平面内に位置している、本発明による釣り竿ホルダの図である。
【図４】図４は、本発明による釣り竿ホルダの平面図である。
【図５】図５は、釣り竿が管状要素の中に挿入されている、本発明による釣り竿ホルダの斜視図である。
【発明を実施するための形態】
【０００８】
本発明による釣り竿ホルダは、リール１２が取り付けられている拡大ハンドル１１を有する管状釣り竿１０を支持するために使用されるタイプである。このような釣り竿ホルダの使用は、特に、歩行しながら魚釣りを行う場合に、すなわち、異なる魚釣り場所に到達するために歩行しながら魚釣りを行う場合に推奨される。特に、しかし、本発明の範囲を限定することなしに、本発明による釣り竿ホルダは、「フライフィッシング」方法を使用する人間によって、すなわち、釣り人が自分の足を水中に沈めて立ちながら、餌（フライ）が末端に取り付けられている釣り糸における繰り出しと巻き上げを行うために取り付けられているリールを含む拡大ハンドグリップを末端に有する細いロッドを使用して魚釣りを行う人間によって使用されるだろう。図５は、「フライフィッシング」のために使用されるタイプの釣り竿を示す。
【０００９】
本発明による釣り竿ホルダは、ユーザの体の周りに固定されることになるベルト２に連結されるように設計されているループ１を備える。上記ループは、概ね楕円形の横断面を有する管状の形状を有し、数センチメートル（約８−１０ｃｍ）の長さである。管状横断面の寸法は、釣り竿ホルダと共に供給される特殊なベルトであることがあるベルト、または、釣り人のズボンをつり上げるために釣り人によって使用されるベルトの挿入を可能にするような寸法である。
【００１０】
本発明による釣り竿ホルダは、さらに、ループ１の母線の１つの上でそのループ１に堅固に固定されている管状要素３も備える。この管状要素は実質的に円筒形の形状を有し、および、その横断面（ｔｒａｎｓｉｔ  ｃｒｏｓｓ−ｓｅｃｔｉｏｎ）が、釣り竿の横断面よりの大きく、かつ、ハンドグリップの横断面に実質的に等しい。貫通スロット４が管状要素の外側表面内に形成されており、管状要素の外側表面の連続性を中断し、および、管状要素の全長にわたって延びる。全ての箇所において、スロットの幅は釣り竿の直径よりも大きく、かつ、ハンドグリップの直径よりも小さい。
【００１１】
以下においては、次の事柄に留意されたい。角度の記述が、ループと釣り竿との間の接触母線（基準母線）から開始する時計回りの回転に関するものであり、および、上部区域、下部区域、右側、および、左側が、垂直方向で見た釣り竿ホルダに関しており、管状要素がループの前方に位置し、かつ、釣り人を基準として実際には前方に面する部分が上部として示されている。
【００１２】
スロット４は管状要素の外周の円弧全体にわたって延び、および、その幅（ａｍｐｌｉｔｕｄｅ）は６０°から１００°である。言い換えると、管状要素の様々な外周上にスロットが形成する開口部は、６０°から１００°の幅を有する円弧に対する弦に等しい。
【００１３】
スロット４は、それぞれに管状要素３の母線に沿って両方とも延びる左端縁５ａと右端縁６ａである２つの直線端縁によって形成されている下部ストレッチ４ａを有する。したがって、この下部ストレッチ４ａは、互いに平行である２つの端縁によって形成されている。
【００１４】
スロット４は、さらに、それぞれに管状要素３の母線に沿って両方とも延びる左端縁５ｂと右端縁６ｂである２つの直線端縁によって形成されている上部ストレッチ４ｂを有する。したがって、この上部ストレッチ４ｂも、互いに平行である２つの端縁によって形成されている。上部ストレッチの左端縁５ｂと右端縁６ｂは、下部ストレッチの左端縁５ａと右端縁６ａに対して同一の角度でオフセットしている。したがって、スロット４の上部ストレッチは、同一の開口部を維持するが、下部ストレッチに対して角度的にオフセットしている。
【００１５】
それぞれに左端縁５ｃと右端縁６ｃである２つの湾曲端縁によって形成されている中間連結ストレッチ４ｃが存在する。左端縁５ｃは左端縁５ａ、６ａを連結し、一方、右端縁６ｃは、上部直線ストレッチ４ａと下部直線ストレッチ４ｂの右端縁５ｂ、６ｂを連結する。したがって、左端縁５ｃと右端縁６ｃは、管状要素の母線に対して平行に延びかつ角度的にオフセットされておりかつ後述されるように配置されているスロットの下部ストレッチと上部ストレッチを連結するスロットの成形された湾曲ストレッチを形成する。
【００１６】
下部ストレッチ４ａの左端縁５ａは、基準母線に対して約９０°の角度で配置されている管状要素の母線の１つの上に配置されている。上部ストレッチ４ｂによって形成されている開口部は、基準母線に対して約１８０°の角度に配置された母線に対して概ね対称的であるように作られている。管状要素３の軸方向にしたがって測定された、スロット４の下部ストレッチ４ａの長さが、管状要素３全体の軸方向長さの少なくとも半分である。さらに、より詳細に後述する理由のために、スロットの上部ストレッチ４ｂの右端縁６ｂの上部末端７ｂが、スロット４内に全体的に収容されている、管状要素の母線に対して角度が付けられている理想直線部分を伴って、スロットの下部ストレッチ４ａの左端縁５ａの下部末端７ａに連結されることが可能であるように、スロットの様々な部分の位置と幅が生じさせられている。
【００１７】
本発明による釣り竿ホルダは、さらに、管状要素３の下部区域の横壁内に形成されている凹み８も備え、この凹み８は管状要素の下部末端に向かって開いており、かつ、基準母線に対して約２７０°の角度に配置されている。この凹みは、フライフィッシングのために使用される釣り竿のリールの一部分を収容するために特に有用である。
【００１８】
この釣り竿ホルダは、さらに、管状要素３の上部区域の横壁内に形成されておりかつ概ね基準母線上に位置している穴９も備える。この穴の中には、スプリングクリップ９ａのフックを挿入することが可能であり、このスプリングクリップは、ベルトがループ１の中に挿入されていない時にまたは釣り竿ホルダが使用されない時に釣り竿ホルダをベルトに固定するように、そのスプリングクリップの他方の末端に連結されているリング９ｂによってベルト２に連結されることが可能である。
【００１９】
ループ１と管状要素３とが、非常に軽量であるように釣り竿ホルダが作られることを可能にする硬質プラスチック材料のような硬質材料で作られることが好ましい。管状要素３の内壁と、管状要素３に連結されていないループ１の外壁とが、例えば、タオル地、ゴムまたはプラスチック材料、または、ぎざぎざ付き表面または突起を有するインサートのような滑り防止材料で覆われている。
【００２０】
釣り竿ホルダの寸法は幾分かは制限されており、かつ、大きくはない。支持される釣り竿の寸法に応じて、釣り竿ホルダは、例えば１５ｃｍから２５ｃｍの範囲内の長さと、４ｃｍから６ｃｍの直径とを有する管状要素を有するだろう。釣り竿のハンドグリップの寸法が完全に標準化されているので、あまり多くの異なるサイズの釣り竿ホルダは必要ではない。
【００２１】
釣り竿ホルダが使用されない時には、スプリングクリップ９ａのフックを穴９の中に挿入することによって、釣り竿ホルダをベルト上に保持することが可能である。スプリングクリップはリング９ｂによってベルト２に連結される。
【００２２】
使用のためには、釣り竿ホルダが釣り人の腹部に固定されるようにベルトが釣り竿ホルダのループ１の中に挿入される。釣り竿ホルダの形状は、スロット４が外向きでありかつスロットの上部区域が前向きである時に釣り竿ホルダが実際的に水平位置にあるような形状である。
【００２３】
フライフィッシングのための釣り竿を使用する釣り人が自分の手が自由であることを必要とする瞬間に、簡単な動きによって、ハンドグリップに最も近い釣り竿の一部分が、外側から内側への移動によってスロット４の中に挿入される。頻繁に、例えば魚が捕らえられた時に、釣り竿が下向きに傾斜させられている状態でこの動きが行われなければならないので、このスロットの特有の形状がこの動きを特に容易にする。上部ストレッチ４ｂの右端縁６ｂの上部末端７ｂと、下部ストレッチ４ａの左端縁５ａの下部末端７ａとの間に、スロット４内に全体的に収容されている理想的な直線状の部分が存在する。すなわち、管状要素の母線に対して下向きに傾斜させられたスロットのストレッチが存在し、これは妨げるものが無く、および、釣り竿が下向きに傾斜させられている時に釣り竿の容易な挿入を可能にする。
【００２４】
その動きが完了すると、ハンドグリップの一部分が釣り竿ホルダの後ろから管状要素の中に挿入されるまで、釣り竿が前方に押される。したがって、釣り竿は釣り竿ホルダに固定された状態のままであり、かつ、リールが釣り竿ホルダの後部部分から突き出し、かつ、必要な作業を行うために釣り人の両手が自由である。
【００２５】
明らかであるが、説明した釣り竿ホルダは、さらに、例えばハンドグリップの中間区域にリールが固定されている釣り竿のような、異なるタイプの釣り竿を支持するために使用できる。このタイプの釣り竿は、釣り竿のハンドグリップを前部部分から管状要素の中に単純に挿入することによって固定される。この場合には、リールは、釣り竿ホルダの前部区域内において釣り竿ホルダの外側に位置させられるだろう。
【００２６】
管状要素３の内壁上とループ１の外壁上の滑り防止材料の存在が、釣り人の体に対する釣り竿ホルダによる望ましくない移動と、釣り竿ホルダに対する釣り竿の望ましくない移動とが回避されることを可能にする。
【図１】
2013524831.tif 000003
【図２】
2013524831.tif 000004
【図３】
2013524831.tif 000005
【図４】
2013524831.tif 000006
【図５】
2013524831.tif 000007
【国際調査報告】
2013524831.tif 000008
2013524831.tif 000009